(57)【要約】【課題】  汚濁防止膜の柔軟性を維持して作業性が高く、しかも、耐摩耗性に優れた汚濁防止膜用シートを提供することを目的とする。【解決手段】  本汚濁防止膜用シートは、カーテン用繊維を縦横に織ってなる汚濁防止膜用シート１であって、一定距離Ｄをおいて縦横にカーテン用繊維３に高強度繊維４を織り込むことにより、カーテン用繊維３を矩形に囲繞する高強度繊維部が形成される。高強度繊維として、好ましくは超高分子量ポリエチレン繊維が使用される。【選択図】  図１
0003194263.tif 000002
【実用新案登録請求の範囲】
【請求項１】
カーテン用繊維を縦横に織ってなる汚濁防止膜用シートであって、
一定距離をおいて縦横に前記カーテン用繊維に高強度繊維を織り込むことにより、前記カーテン用繊維を矩形に囲繞する高強度繊維部が形成されたことを特徴とする汚濁防止膜用シート。
【請求項２】
前記一定距離は、５ミリメートル乃至１０ミリメートルである請求項１記載の汚濁防止膜用シート。
【請求項３】
前記高強度繊維は、超高分子量ポリエチレン繊維又はアラミド繊維である請求項１または２記載の汚濁防止膜用シート。
【考案の詳細な説明】
【技術分野】
【０００１】
本考案は、海域、河川あるいは湖沼等において周辺環境の水質汚濁を防止するために使用される汚濁防止膜用シートに関するものである。
【背景技術】
【０００２】
例えば、土木工事現場の周辺環境の水質汚濁を防止するため、従来より汚濁防止膜が設置されている。汚濁防止膜は、水中にスカート状に垂れ下がる汚濁防止膜用シートを中核とし、その他通常、水面に設置され汚濁防止膜用シートの上端部に浮力を与えるフロートと、汚濁防止膜用シートの下端部に連結され、汚濁防止膜用シートに張力を付与するおもりと共に使用される。
【０００３】
そして、汚濁防止膜用シートは、通常ポリエステル等の合成繊維からなる織編物を主材とする。設置現場が海域である場合には、潮の満ち引き、波、岩礁や各種生物との接触など、様々な破損要素が汚濁防止膜用シートに作用する。
【０００４】
汚濁防止膜用シートは、一部でも破損すると、周囲に汚濁物質を漏洩することとなるから、上記破損要素に耐えて汚濁物質の漏洩を防止できるように構成されなければならず、高い耐摩耗性が要求される。
【０００５】
汚濁防止膜用シートに高い耐摩耗性を付与するため、次に述べるような従来技術が実施或いは検討されている。
【０００６】
第１に、ポリエステル繊維及びアクリル繊維からなるカーテン用繊維により汚濁防止膜用シートを構成し、さらにその外側両面に格子状の保護材を配置したものがある。
【０００７】
しかしながら、このようにすると、格子の網目に岩礁が引っかかりやすく、フロートが水没することがある。フロートが水没すると、水面付近で汚濁物質の漏洩が発生し、汚濁防止膜として機能しなくなる。また、保護材はほとんど変形できないため、カーテン用繊維を前後の保護材とが挟む汚濁防止膜全体として、柔軟性が不足し、汚濁防止膜を巻き上げたり折り畳んだりするような作業を行う場合、作業効率が不良となりやすい。
【０００８】
第２に、格子状の保護材でなく、カーテン用繊維からなる膜に、ゴム層による被覆を施すものがある。
【０００９】
しかしながら、このようにすると、製造コストが２倍或いは数倍となってしまう。さらには、ゴム層が薄ければ繰り返し使用される際に、摩耗によって破損するおそれがある。ゴム層が厚ければ、汚濁防止膜の重量が異様に大きくなるだけでなく、柔軟性が乏しく、汚濁防止膜を巻き上げたり折り畳んだりするような作業を行う場合、作業効率が不良となりやすいという問題点がある。
【特許文献１】特開平１０−３２４８０８号公報
【特許文献２】特開２００３−２５３６５８号公報
【考案の開示】
【考案が解決しようとする課題】
【００１０】
そこで本考案は、汚濁防止膜の柔軟性を維持して作業性が高く、しかも、耐摩耗性に優れた汚濁防止膜用シートを提供することを目的とする。
【課題を解決するための手段】
【００１１】
第１の考案に係る汚濁防止膜用シートは、カーテン用繊維を縦横に織ってなる汚濁防止膜用シートであって、一定距離をおいて縦横にカーテン用繊維に高強度繊維を織り込むことにより、カーテン用繊維を矩形に囲繞する高強度繊維部が形成されている。
【００１２】
この構成により、カーテン用繊維を高強度繊維部が矩形に囲繞するパターンで、汚濁防止膜用シートが構成されることになる。
【００１３】
したがって、本考案の汚濁防止膜用シートの柔軟性は、カーテン用繊維のみで構成される汚濁防止膜用シートの柔軟性とほぼ同等である。また、重量的にも、カーテン用繊維のみで構成される汚濁防止膜用シートと同等である。したがって、汚濁防止膜を折り畳んだり巻き上げたりする作業において、良好な作業性が確保される。
【００１４】
また、高強度繊維部が矩形をなすカーテン用繊維を囲繞するから、汚濁防止膜用シートの強度が向上し、耐摩耗性が向上するだけでなく、汚濁防止膜用シートの厚さ内で補強作用が奏される。さらに、岩礁などがある場合であっても、汚濁防止膜用シートが岩礁などに引っかかるおそれは少ない。
【００１５】
第２の考案に係る汚濁防止膜用シートは、第１の考案に加え、一定距離は、５ミリメートル乃至１０ミリメートルである。
【００１６】
この構成により、一辺が５ミリメートル乃至１０ミリメートルの小さな矩形単位で汚濁防止膜用シートが構成されるため、補修範囲がいたずらに拡張せず、無駄なく補修作業を行える。
【考案の効果】
【００１７】
本考案によれば、矩形をなす高強度繊維部により、十分な耐摩耗性を汚濁防止膜用シートに付与できる。
【００１８】
さらに、柔軟性が高く軽量に汚濁防止膜用シートを構成できるから、汚濁防止膜を折り畳んだり巻き上げたりする作業において、良好な作業性が確保されるし、コストアップも極小で対応できる。
【考案を実施するための最良の形態】
【００１９】
以下図面を参照しながら、本考案の実施の形態を説明する。
【００２０】
図１は、本考案の一実施の形態における汚濁防止膜用シートの平面図である。
【００２１】
図１に示すように、汚濁防止膜用シート１の両側方には、耳糸２が配置される。
【００２２】
耳糸２に挟まれる領域には、基本的にカーテン用繊維３が縦横に織り込まれている。カーテン用繊維３としては、ポリエステル繊維、あるいはこれらの任意の組み合わせを使用できる。
【００２３】
カーテン用繊維３からなる矩形領域（一辺が一定距離Ｄ）を囲繞するように、縦横に高強度繊維４が織り込まれ、カーテン用繊維３を矩形に囲繞する高強度繊維部が形成される。
【００２４】
高強度繊維４として、好ましくは超高分子量ポリエチレン繊維又はアラミド繊維が使用される。ことに、商標「ダイニーマ」又は商標「スペクトラ」が付与された超高分子量ポリエチレン繊維が好適である。この超高分子量ポリエチレン繊維は、防弾チョッキにも使用されるほど優れた耐摩耗性を有し、劣化が少ないし、比較的安価に入手できる。
【００２５】
この超高分子量ポリエチレン繊維は、通常２〜３０万の分子量を１００〜７００万まで高めたポリエチレンからなり、熱可塑性樹脂に分類される合成樹脂である。
【００２６】
この超高分子量ポリエチレン繊維は、次のような特徴を有する。即ち、幅広い温度領域において、ポリカーボネートを上回る非常に高い耐衝撃性を有し、耐摩耗性に優れ、自己潤滑性を有する。比重が０．９２〜０．９４と軽く、吸水率が低く、寸法安定性に優れる。
【００２７】
一定距離Ｄは、５ミリメートル乃至１０ミリメートルであることが望ましい。これは、この程度の分布で十分な耐摩耗性を汚濁防止膜用シートに付与できるし、かつ、補修単位を現実的に取り扱いやすい小寸法とできるためである。
【００２８】
なお、織法等は、常法に従えば良い。
【図面の簡単な説明】
【００２９】
【図１】本考案の一実施の形態における汚濁防止膜用シートの平面図
【符号の説明】
【００３０】
１  汚濁防止膜用シート
２  耳糸
３  カーテン用繊維
４  高強度繊維
Ｄ  一定距離
【図１】
0003194263.tif 000003